(57)【特許請求の範囲】
【請求項１】
ネットワーク・システムを通してデータを配信する方法であって、
データ処理システムにおいて、第１クライアント・システムから第１データ・ページに対するリクエストを無線接続を介して受信するステップと、
前記第１データ・ページの全コンテンツを、自動的にまたはデフォルトで前記第１クライアント・システムの代替システムである第２のクライアント・システムへと有線接続を介して送信するよう設定されたか否かを確認するステップと、
前記有線接続を介する送信の設定が確認された場合には、前記第１データ・ページに対応するコンテンツ縮小ページを前記第１クライアント・システムに無線接続を介して送信し、次いで、前記第１データ・ページの全コンテンツを第２クライアント・システムへと有線接続を介して送信するステップと、
前記有線接続を介する送信が確認されなかった場合には、前記コンテンツ縮小ページを選択マークと共に第１クライアント・システムに無線接続を介して送信し、次いで、第１クライアント・システムにおいて、前記選択マークが選択された際に、前記第１データ・ページに対応する全コンテンツを第２クライアント・システムへと有線接続を介して送信するステップと、
を含む方法。
【請求項２】
前記選択マークが、ページを選択するオプションをユーザに与えることを示すフラグである請求項１記載の方法。
【請求項３】
前記受信ステップの後、前記第１データ・ページに対応するコンテンツ縮小ページを作成するステップを含む、請求項１または２記載の方法。
【請求項４】
前記有線接続を介する送信が、電子メール・メッセージまたはプッシュ配信システムを介する送信である請求項１〜３のいずれか１項記載の方法。
【請求項５】
前記全コンテンツのデータはハイパーテキスト・マークアップ言語（ＨＴＭＬ）データであり、前記コンテンツ縮小ページのデータは無線マークアップ言語（ＷＭＬ）データである請求項１〜４のいずれか１項記載の方法。
【請求項６】
少なくともプロセッサ及びアクセス可能なメモリを持つデータ処理システムであって、
前記データ処理システムにおいて、第１クライアント・システムから第１データ・ページに対するリクエストを受信する手段と、
前記第１データ・ページの全コンテンツを、自動的にまたはデフォルトで、前記第１クライアント・システムの代替システムである第２のクライアント・システムへと有線接続を介して送信するよう設定されたか否かを確認する手段と、
前記有線接続を介する送信の設定が確認された場合には、前記第１データ・ページに対応するコンテンツ縮小ページを前記第１クライアント・システムに無線接続を介して送信する手段と、
前記有線接続を介する送信の設定が確認されなかった場合には、前記コンテンツ縮小ページを選択マークと共に第１クライアント・システムに無線接続を介して送信する手段と、
前記有線接続を介する送信の設定が確認された場合、及び、前記選択マークが選択された際に、前記第１データ・ページに対応する全コンテンツを第２クライアント・システムへと有線接続を介して送信する手段と、
を含むシステム。
【請求項７】
前記選択マークが、ページを選択するオプションをユーザに与えることを示すフラグである、請求項６記載のデータ処理システム。
【請求項８】
コンテンツ縮小ページを作成する手段をさらに含む、請求項６又は７記載のデータ処理システム。
【請求項９】
前記有線接続を介する送信が、電子メール・メッセージまたはプッシュ配信システムを介する送信である、請求項６〜８のいずれか１項記載のデータ処理システム。
【請求項１０】
前記全コンテンツのデータはハイパーテキスト・マークアップ言語（ＨＴＭＬ）データであり、前記コンテンツ縮小ページのデータは無線マークアップ言語（ＷＭＬ）データである、請求項６〜９のいずれか１項記載のデータ処理システム。
【請求項１１】
ネットワーク・システムを通してデータを配信するために、プロキシ・サーバコンピュータに、
第１クライアント・システムから第１データ・ページに対するリクエストを無線接続を介して受信する手順と、
前記第１データ・ページの全コンテンツを、自動的にまたはデフォルトで、前記第１クライアント・システムの代替システムである第２のクライアント・システムへと有線接続を介して送信するよう設定されたか否かを確認する手順と、
前記有線接続を介する送信の設定が確認された場合には、前記第１データ・ページに対応するコンテンツ縮小ページを前記第１クライアント・システムに無線接続を介して送信し、次いで、前記第１データ・ページの全コンテンツを第２クライアント・システムへと有線接続を介して送信する手順と、
前記有線接続を介する送信の設定が確認されなかった場合には、前記コンテンツ縮小ページを選択マークと共に第１クライアント・システムに無線接続を介して送信し、次いで、第１クライアント・システムにおいて、前記選択マークが選択された際に、前記第１データ・ページに対応する全コンテンツを第２クライアント・システムへと有線接続を介して送信する手順と、
を実行させるためのプログラム。
【請求項１２】
前記受信命令の後、前記第１データ・ページに対応するコンテンツ縮小ページを作成する命令を含む、請求項１１記載の方法。
【請求項１３】
前記有線接続を介する送信が、電子メール・メッセージまたはプッシュ配信システムを介する送信である請求項１１または１２記載のプログラム。
【請求項１４】
前記全コンテンツのデータはハイパーテキスト・マークアップ言語（ＨＴＭＬ）データであり、前記コンテンツ縮小ページのデータは無線マークアップ言語（ＷＭＬ）データである請求項１１〜１３のいずれか１項記載のプログラム。
【発明の詳細な説明】
【０００１】
【発明の属する技術分野】
本発明は、一般には改良されたネットワーク・コンピュータ・システムに関し、特にネットワーク・コンピュータ・システム間の改良された無線通信、中でも有線データ処理システムと無線データ処理システムを組み合わせたときの改良された通信に関する。
【０００２】
【従来の技術】
インターネットやWorld Wide Web（ＷＷＷまたはＷｅｂ）の利用が広がっている。Ｗｅｂは、コンピュータ・システムが相互接続され、共通のプロトコルとアドレス指定手段により通信するグローバル・ネットワークであり、ユーザは、ボタンを押すかマウスをクリックすれば、ほとんどのトピックに関して情報を受け取ることができる。Ｗｅｂはまた多くのユーザが選択できる検索ツールにもなっている。
【０００３】
Ｗｅｂはまた、取引、購入、投資管理等の対話型タスクを実行する手段として毎日のように利用されるようになっている。ユーザは、クライアント側のデータ処理システムを使用してサーバ・システムにアクセスし、オンラインで取引を行うことにより、私用か業務上の取引かを問わず、ほとんどの取引を実行できるようになっている。
【０００４】
インターネットの利用は、アナログＰＯＴＳ（一般電話回線）モデム、ＩＳＤＮ、ｘＤＳＬ等の有線接続に限定されなくなった。毎日、インターネットと無線で接続する携帯型のデータ処理システムを介してインターネットにアクセスすることが一般的になっている。モデムを無線電話に接続したラップトップ・コンピュータ・システムはその典型である。この技術の比較的新しい応用例は、無線デジタル・ネットワークを通してインターネットにアクセスできるようにした、無線デジタル電話やハンドヘルド・コンピュータである。このようなシステムは、システム自体の表示能力の限界に対応するため変更を加えられ、簡素化されたＷｅｂブラウザを使用する。
【０００５】
例えばＰＤＡシステムのPalmPilot（商標）ファミリには、HandWeb、ProxiWebのようなＷｅｂブラウザ・ソフトウェアがある。Windows CEや一部のデジタルＰＣＳ電話にもＷｅｂブラウザ・ソフトウェアがある。
【０００６】
このような無線装置を使用してインターネットに接続する場合の大きな欠点は、無線通信システムのコストが非常に高いことである。一般的な無線システムをみると、コンテンツ配信のバイト当たりのコストは、有線接続や音声通信に比べて非常に高い。これに対処するため、ほとんどの無線装置は、何らかのメカニズムにより、Ｗｅｂサイトからダウンロードされるデータの量を減らしている。一般的手法として、無線装置専用のコンテンツを持ち、メニュー・オプションが簡素化され、テキストの量が低減されたＷｅｂサイトにアクセスする方法がある。"Ｗｅｂクリッピング"という方法もある。これは基本的には、Ｗｅｂコンテンツを基本的なテキストだけに切り詰めることである。更に、ほとんどの無線ブラウザは、表示されるＷｅｂサイトからグラフィックスを排除している。
【０００７】
こうしたアプローチが魅力的なのは、有線と無線のインターネット・システム間でコスト面の違いがあるからである。有線接続は、インターネットとの常時接続である"専用"接続であっても比較的安価だが、無線システムはまだかなり高価であり、一般にはユーザがインターネットに接続した時間、転送されたデータの量、または両方に応じて料金が請求される。前記のコンテンツ縮小方法は、接続コストを最小にするため用いられる。
【０００８】
こうしたアプローチにはしかし、望ましくない副作用がある。ユーザは、最初に探していたコンテンツの大半を失うことになる。前記の方法では、一般には何らかの基本機能を実行したり、一定限度の情報を取得したりできるが、Ｗｅｂサイト全体を見ることも、グラフィックスやイラストを見ることもできない。また無線接続で表示するコンテンツが多くなれば、コストもそれだけ高くなる。
【０００９】
探しているＷｅｂページの全体を見るためには、有線のデータ処理システムからＷｅｂにアクセスし、全体を見たり印刷したりするためにその接続で各ページを表示しなければならないことがある。Ｗｅｂには"ハイパーリンク"があるため、ユーザが無線システム上で見たことのある特定のページを有線システム上で再検索することの困難な場合が少なくない。従って、ユーザが比較的安価な有線インターネット接続を利用することによって、無線インターネット接続の利用を簡単に調整できる手段を提供し、これにより、効率的にＷｅｂページを比較的低コストで見られるようにすることが望ましい。またそれ以上に望ましいのは、接続速度、接続方法等に違いがあるかどうかにかかわらず、データを比較的安価に、且つ効率的に転送して使用できるよう、比較的高価な接続と比較的安価な接続の両方の利用をユーザが簡単に調整できる手段である。
【００１０】
【発明が解決しようとする課題】
本発明の目的は、改良されたネットワーク・コンピュータ・システムを提供することである。
【００１１】
本発明の別の目的は、ネットワーク・コンピュータ・システム間で改良された無線通信を実現することである。
【００１２】
更に本発明の別の目的は、比較的高価なデータ処理システム通信手段と比較的安価なデータ処理システム通信手段間で改良された通信を実現することである。
【００１３】
【課題を解決するための手段】
前記の目的は以下に述べるようにして達成される。好適実施例は、コンテンツの縮小されたＷｅｂページをユーザが無線接続で見て、ナビゲートできるシステム、方法、及びコンピュータ・プログラム製品を提供する。ユーザが特定のＷｅｂページを選択すると、従来の有線インターネット接続のように、比較的安価な接続によりそのページがユーザに配信される。配信は、電子メール・メッセージ、インターネットに接続されたデータ処理システムへの"プッシュ"配信、選択されたページを参照する一連のハイパーリンクを有線インターネット接続に提供することを含めて、実施例に応じた方法により行われる。ユーザは従って、インターネットに接続された第２データ処理システム上で、インターネットに接続された無線データ処理システムを使用し、選択されたデータを後で見ることができる。
【００１４】
本発明の前記の目的、機能、及び利点は、他の目的等を含めて、以下の詳細な説明から明らかになろう。
【００１５】
【発明の実施の形態】
各図、特に図１を参照する。本発明の好適実施例を採用することのできるデータ処理システムが示してある。データ処理システム１００はプロセッサ１０２と関連Ｌ２キャッシュ１０４を含む。キャッシュ１０４は、実施例ではシステム・バス１０６に接続される。システム・バス１０６にはシステム・メモリ１０８が接続され、プロセッサ１０２によりメモリ１０８の内容が読み書きされる。
【００１６】
システム・バス１０６にはＩ／Ｏバス・ブリッジ１１０も接続される。実施例のデータ処理システム１００は、バス１０６に接続され、ディスプレイ１２０のためのユーザ・インタフェース情報を受信するグラフィックス・アダプタ１１８を含む。ハード・ディスク・ドライブ等の不揮発性ストレージ１１４や、従来のマウス、トラックボール等のキーボード／ポインティング・デバイス１１６等の周辺装置はＩ／Ｏバス１１２に接続される。
【００１７】
Ｉ／Ｏバス１１２には、インターネット接続１３０も接続される。この接続は、アナログ・モデム、ケーブル・モデム、ｘＤＳＬ、Ｔ１、無線装置等、複数の方法で実現することができる。
【００１８】
図１の実施例は、本発明を説明するためにのみ示しており、当業者には明らかなように、形式と機能の両面で様々な変形が可能である。例えば、データ処理システム１００には、コンパクト・ディスク読取り専用メモリ（ＣＤ−ＲＯＭ）やデジタル・ビデオ・ディスク（ＤＶＤ）ドライブ、サウンド・カードやオーディオ・スピーカ、その他様々なオプション・コンポーネントを追加することができる。そのような変形は本発明の主旨と範囲から逸脱しないとみなされる。データ処理システム１００は、説明のための例にすぎず、アーキテクチャ上の制限を意味するものではない。前述のデータ処理システムは、下記実施例では、イントラネットやインターネット等のコンピュータ・ネットワークに接続されたとき、クライアント・システムとしても、サーバ・システムとしても機能する。もちろん、以下で述べるデータ処理システム、特にクライアント・データ処理システムは、特許請求の範囲に述べている機能を実行できる限り、携帯電話やパーソナル・デジタル・アシスタント（ＰＤＡ）等のハンドヘルド・システム、他の携帯型／ハンドヘルド・データ処理システムにも組み込むことができる。
【００１９】
図２は、本発明の好適実施例を実現するモバイル・コンピューティング装置を示す。このモバイル通信装置は、プロセッサ１５２により書込まれるディスプレイ１５０を含む。プロセッサ１５２はまた、メモリ１５４及び不揮発性ストレージ１５６との間で読取り及び書込みができる。通信ブロック１５８は無線通信システムであり、プロセッサが無線ネットワークで通信できるように接続される。キーパッド、タッチパッド等の入力装置であるユーザ入力装置１６０は、プロセッサ１５２により実行されるプログラムとユーザが対話できるように接続される。
【００２０】
図２に示したモバイル通信装置は、携帯電話、ＰＤＡ装置、携帯型データ処理システム等である。図２のブロック図には、好適実施例に関連しない通信装置の他のコンポーネントは示していない。例えば、モバイル通信装置は携帯電話でよいが、ダイヤル・キーパッド等の電話固有のコンポーネントは示していない。更に、図２に示した要素は必ずしも装置と一体である必要はない。例えば、無線通信システムは、無線電話に接続された外部モデムでもよい。
【００２１】
好適実施例は、無線接続でコンテンツを縮小したＷｅｂページを見て、ナビゲートできるシステム及び方法を提供する。ユーザが特定のＷｅｂページを選択すると、そのページは、従来の有線インターネット接続のように、比較的安価な接続によりユーザに配信される。配信は、電子メール・メッセージ、インターネットに接続されたデータ処理システムへの"プッシュ"配信、選択されたページを参照する一連のハイパーリンクを有線インターネット接続に提供すること等、実施例に応じた方法により行われる。従って、ユーザはインターネットに接続された無線のデータ処理システムを使用して、選択されたデータをインターネットに接続された第２データ処理システム上で見ることができる。
【００２２】
図３は、インターネット２００及び接続された装置を示す。接続された装置はデータ処理システム２０５、２１０を含み、これらは有線接続２１５により接続される。有線接続２１５はＰＯＴＳシステム、ｘＤＳＬ、Ｔ１、ケーブル、光ファイバ等の有線接続である。プロキシ・サーバ２６０は、有線接続２１５によりインターネット２００に接続される。プロキシ・サーバ２６０は、ここで説明しているコンテンツ管理機能を実行し、インターネットと無線装置間に接続される。無線装置は、電話２２０、ハンドヘルドＰＤＡ２２５、携帯型データ処理システム２３０を含む。これらはそれぞれ対応する無線接続２３５を通して接続される。もちろん無線接続２３５は、プロトコル、速度、他の手段に関して装置間で異なり得るが、ここでは簡素化のため一般的な形で示している。また、インターネット通信をサポートする他の無線装置や有線接続も、本発明の範囲内で前記のシステムに接続できる。
【００２３】
高価な無線接続２３５を通してＷｅｂクライアントにコンテンツが表示されると、好適実施例では、プロキシ・サーバ２６０により、接続された装置２２０／２２５／２３０で動作するＷｅｂクライアントが、縮小情報のみダウンロードしてすぐ読取ることができ、全コンテンツは電子メールや別のシステムへのプッシュにより配信できるようになる。データ処理システム２０５、２１０等の別のシステムは、好適実施例では、有線接続２１５等のかなり安価な手段によりインターネットに接続される。このようにして、後で比較的安価なシステム上で全コンテンツを読取ることができる。
【００２４】
プロキシ・サーバ２６０は、インターネットからの、無線装置を想定したコンテンツ・データを受信し、このデータのコンテンツ縮小バージョンを生成する。受信されたコンテンツ・データは、好適実施例によれば、従来のハイパーテキスト・マークアップ言語（ＨＴＭＬ）であり、コンテンツ縮小バージョンは無線マークアップ言語（ＷＭＬ）である。ＷＭＬは、携帯電話やポケットベルを含めた狭帯域装置のコンテンツとユーザ・インタフェースを指定するためのマークアップ言語である。無線システム２３５等の高価な接続を通してクライアント２２０／２２５／２３０に配信される縮小アイテムはそれぞれ、特別なマークまたは他のユーザ設定を含み、ユーザがこれを選択したとき、電子メールまたはインターネットと安価な形で接続された別のコンピュータ・システムへのプッシュを介して、オフラインで全コンテンツ（または代替コンテンツ）が配信される。ユーザは、ユーザが見る縮小コンテンツ・ページも全て完全な形で他のシステムにデフォルトで配信することを選択することができる。
【００２５】
また、ユーザが縮小形式で受信した各ページへのハイパーリンク・ブックマークを保存し、後で、比較的安価なインターネット接続によりシステムにダウンロードまたは配信することもできる。これにより、時間のあるときに、全コンテンツを含むページをそのシステムで見ることができる。
【００２６】
このように、基本的なコンテンツはすぐに読み、高価なコンテンツは後で読むことによって、ユーザ側の操作はより効率よく、比較的安価になる。ユーザは、別のシステムに配信されるコンテンツも選択できるので、後でコンテンツを手動で再検索するという大きな時間の浪費になるような操作を強制されない。
【００２７】
図４は、本発明の好適実施例に従ったプロセスのフローチャートである。このフローチャートでは、ユーザが図３に関して説明したような無線装置を介して、インターネットにアクセスすることを前提にしている。これらの無線装置は通常、プロキシ・サーバを使用してＷｅｂサイトにアクセスする。プロキシ・サーバは、全コンテンツを含む標準Ｗｅｂページを、前述のコンテンツを縮小したＷｅｂページに変換する機能を持つ。
【００２８】
ユーザが無線装置または他の比較的高価な接続を通してインターネットにアクセスすると、無線装置がＷｅｂページを要求する（ステップ３１０）。プロキシ・サーバがＷｅｂページを処理し、ページのコンテンツを縮小したバージョンを作成する（ステップ３２０）。プロキシ・サーバは次に、ユーザが、Ｗｅｂページの全コンテンツ・バージョンを自動的にまたはデフォルトで、有線接続または比較的安価な接続へ送信するようシステムを設定したかどうかを確認する（ステップ３３０）。
【００２９】
ユーザが自動またはデフォルトの他の配信を選択していない場合、プロキシ・サーバは、コンテンツが縮小されたページを、選択マークとともに無線装置に配信する（ステップ３４０）。もちろん選択マークはコンテンツ縮小ページのコンテンツに追加でき、あるいはページが表示されたときに無線装置が選択オプションをユーザに与えることを示すフラグを、ページとともに送信することができる。
【００３０】
ページが表示されたとき、ユーザは、ユーザに対するオプションの表示方法に応じて、選択マークを選択するか、またはページを選択することができる。ユーザが、選択マークを選択するかまたは他の方法によりページを選択した場合（ステップ３５０）、サーバはページの全コンテンツ・バージョンをユーザの代替システムに配信する（ステップ３７０）。配信は、電子メールやプッシュ配信によって行うか、またはページもしくはページへのリンクをサーバに保存することもできる。その後ユーザは次のページにナビゲートすることができる（ステップ３１０）。
【００３１】
ユーザが自動またはデフォルトの代替配信を選択した場合（ステップ３３０）、システムはコンテンツ縮小ページを無線装置に配信する（ステップ３６０）。選択マークは含まれない。サーバはページの全コンテンツ・バージョンをユーザの代替システムに配信する（ステップ３７０）。その後ユーザは次のページにナビゲートすることができる（ステップ３１０）。
【００３２】
次にユーザは比較的安価な接続で、選択したページの全コンテンツを後で読む。代替システムへの配信は、比較的高価な接続でのページの選択と事実上同時に発生し得るが、ユーザは通常、一定の時間が経つまでこれらのページを見ない。ユーザは比較的安価な代替システムにすぐにはアクセスできないとみなされる。従って、前記ステップ３７０は後で発生し、ユーザは（ステップ３１０で）無線装置上のナビゲートを続けることができる。
【００３３】
図５乃至図６は、本発明の好適実施例に従い、それぞれ前記全コンテンツ及び縮小コンテンツの代表的な表示例を示す。図５は、一般的データ処理システムに見られるようなサンプル・ディスプレイ４００を示す。この例で、ユーザはＩＢＭの株式に関する情報を要求している。全コンテンツ・ページとして、概要テキスト４０５と現在の株式相場情報４１０の両方が示してある。ユーザは前述のように、インターネットに安価な形で接続されたシステム上で概要情報を確認しながら、無線または他の高価な接続を通して接続されたときには、基本データのみ受け取りたい場合がある。
【００３４】
図６は、図５に対応する前述のコンテンツ縮小ページの例を示す。ここには、ＩＢＭ株式に関するコンテンツ縮小ページの表示とともに、ハンドヘルドＰＤＡシステム４５０が示してある。コンテンツ縮小表示には、基本的な株式相場情報４５５のみ示してあり、これは無線接続を通した受信用にかなり安価である。ここで選択マーク４６０にも注意されたい。ユーザが、スタイラスで触れるか他の従来の手段によりマーク４６０を選択すると、前述のように全コンテンツ・ページ（図５等）がユーザの代替システムに配信される。
【００３５】
ここで重要なことは、本発明についてはフル機能のデータ処理システムやネットワークに関して説明しているが、当業者には明らかなように、本発明のメカニズムは、様々な形式の命令の、コンピュータで使用できる媒体の形で配布することができ、本発明は、実際に配布を行う信号伝送媒体の種類にかかわらず等しく適用されるということである。コンピュータで使用できる媒体の例として、読取り専用メモリ（ＲＯＭ）、電気的消去プログラマブル読取り専用メモリ（ＥＥＰＲＯＭ）等のハードコード・タイプの不揮発性媒体、フロッピー・ディスク、ハード・ディスク・ドライブ、ＣＤ−ＲＯＭ等の記録可能媒体、デジタル／アナログ通信リンク等の伝送型媒体等がある。
【００３６】
本発明について、特に好適実施例に関して説明したが、当業者には明らかなように、本発明の主旨と範囲から逸脱することなく、形式と詳細に関して様々な変形が可能である。
【００３７】
まとめとして、本発明の構成に関して以下の事項を開示する。
【００３８】
（１）ネットワーク・システムを通してデータを配信する方法であって、
データ処理システムにおいて、第１クライアント・システムから第１データ・ページに対するリクエストを受信するステップと、
前記第１データ・ページに対応するコンテンツ縮小ページを前記第１クライアント・システムに送信するステップと、
前記第１データ・ページを第２クライアント・システムに送信するステップと、
を含み、前記第１クライアント・システムは、前記第２クライアント・システムが前記データ処理システムと通信する場合よりも高価な接続を通して前記データ処理システムと通信する、
方法。
（２）前記受信ステップの後、前記第１データ・ページに対応するコンテンツ縮小ページを作成するステップを含む、前記（１）記載の方法。
（３）前記第１データ処理システムは無線接続を介して通信する、前記（１）記載の方法。
（４）前記第１データ・ページは、電子メール・メッセージまたはプッシュ配信システムを介して前記第２クライアント・システムに送信される、前記（１）記載の方法。
（５）少なくともプロセッサ及びアクセス可能なメモリを持つデータ処理システムであって、
前記データ処理システムにおいて、第１クライアント・システムから第１データ・ページに対するリクエストを受信する手段と、
前記第１データ・ページに対応するコンテンツ縮小ページを前記第１クライアント・システムに送信する手段と、
前記第１データ・ページを第２クライアント・システムに送信する手段と、
を含み、前記第１クライアント・システムは、前記第２クライアント・システムが前記データ処理システムと通信する場合よりも高価な接続を通して前記データ処理システムと通信する、
システム。
（６）前記第１データ・ページに対応するコンテンツ縮小ページを作成する手段を含む、前記（５）記載のデータ処理システム。
（７）前記第１データ処理システムは無線接続を通して通信する、前記（５）記載のデータ処理システム。
（８）前記第１データ・ページは、電子メール・メッセージまたはプッシュ配信システムを介して前記第２クライアント・システムに送信される、前記（５）記載のデータ処理システム。
（９）コンピュータ読取り可能媒体上にコンピュータ読取り可能コードを有するコンピュータ・プログラム製品であって、
データ処理システムにおいて、第１クライアント・システムから第１データ・ページに対するリクエストを受信する命令と、
前記第１データ・ページに対応するコンテンツ縮小ページを前記第１クライアント・システムに送信する命令と、
前記第１データ・ページを第２クライアント・システムに送信する命令と、
を含み、前記第１クライアント・システムは、前記第２クライアント・システムが前記データ処理システムと通信する場合よりも高価な接続を通して前記データ処理システムと通信する、
プログラム製品。
（１０）前記第１データ・ページに対応するコンテンツ縮小ページを作成する命令を含む、前記（９）記載のコンピュータ・プログラム製品。
（１１）前記第１データ処理システムは無線接続を介して通信する、前記（９）記載のコンピュータ・プログラム製品。
（１２）前記第１データ・ページは、電子メール・メッセージまたはプッシュ配信システムを介して前記第２クライアント・システムに送信される、前記（９）記載のコンピュータ・プログラム製品。
（１３）ネットワーク・システムを通してデータを配信する方法であって、
データ処理システムにおいて、第１クライアント・システムから第１データ・ページに対するリクエストを受信するステップと、
前記第１データ・ページに対応するコンテンツ縮小ページを前記第１クライアント・システムに送信するステップと、
前記第１クライアント・システムに選択マークを選択的に送信するステップと、
前記選択マークに対応するリクエストが受信された場合には、前記第１データ・ページを第２クライアント・システムに送信するステップと、
を含み、前記第１クライアント・システムは、前記第２クライアント・システムが前記データ処理システムと通信する場合よりも高価な接続を通して前記データ処理システムと通信する、
方法。
（１４）前記受信ステップの後、前記第１データ・ページに対応するコンテンツ縮小ページを作成するステップを含む、前記（１３）記載の方法。
（１５）前記第１データ処理システムは無線接続を介して通信する、前記（１３）記載の方法。
（１６）前記第１データ・ページは、電子メール・メッセージまたはプッシュ配信システムを介して前記第２クライアント・システムに送信される、前記（１３）記載の方法。
（１７）少なくともプロセッサ及びアクセス可能なメモリを持つデータ処理システムであって、
前記データ処理システムにおいて、第１クライアント・システムから第１データ・ページに対するリクエストを受信する手段と、
前記第１データ・ページに対応する、コンテンツを縮小した第２データ・ページを作成する手段と、
前記第２データ・ページを前記第１クライアント・システムに送信する手段と、
前記第１クライアント・システムに選択マークを選択的に送信する手段と、
前記選択マークに対応するリクエストが受信された場合、前記第１データ・ページを第２クライアント・システムに送信する手段と、
を含み、前記第１クライアント・システムは、前記第２クライアント・システムが前記データ処理システムと通信する場合よりも高価な接続を通して前記データ処理システムと通信する、
データ処理システム。
（１８）前記第１データ・ページに対応するコンテンツ縮小ページを作成する手段を含む、前記（１７）記載のデータ処理システム。
（１９）前記第１データ処理システムは無線接続を介して通信する、前記（１７）記載のデータ処理システム。
（２０）前記第１データ・ページは、電子メール・メッセージまたはプッシュ配信システムを介して前記第２クライアント・システムに送信される、前記（１７）記載のデータ処理システム。
（２１）コンピュータ読取り可能媒体上にコンピュータ読取り可能コードを有するコンピュータ・プログラム製品であって、
データ処理システムにおいて、第１クライアント・システムから第１データ・ページに対するリクエストを受信する命令と、
前記第１データ・ページに対応する、コンテンツを縮小した第２データ・ページを作成する命令と、
前記第２データ・ページを前記第１クライアント・システムに送信する命令と、
前記第１クライアント・システムに選択マークを選択的に送信する命令と、
前記選択マークに対応するリクエストが受信された場合、前記第１データ・ページを第２クライアント・システムに送信する命令と、
を含み、前記第１クライアント・システムは、前記第２クライアント・システムが前記データ処理システムと通信する場合よりも高価な接続を通して前記データ処理システムと通信する、
プログラム製品。
（２２）前記第１データ・ページに対応するコンテンツ縮小ページを作成する命令を含む、前記（２１）記載のコンピュータ・プログラム製品。
（２３）前記第１データ処理システムは無線接続を介して通信する、前記（２１）記載のコンピュータ・プログラム製品。
（２４）前記第１データ・ページは、電子メール・メッセージまたはプッシュ配信システムを介して前記第２クライアント・システムに送信される、前記（２１）記載のコンピュータ・プログラム製品。
（２５）ネットワーク通信の方法であって、
第１通信リンクを通して、第１データ処理システムから、第１データ・ページに対するリクエストを送信するステップと、
前記第１通信リンクを通して、前記第１データ・ページに対応するコンテンツ縮小データ・ページを受信するステップと、
前記第１通信リンクより安価な第２通信リンクに接続された第２データ処理システムに送信される前記第１データ・ページを選択的に要求するステップと、
を含む、方法。
（２６）少なくともプロセッサ及びアクセス可能なメモリを持つデータ処理システムであって、
第１通信リンクを通して、第１データ処理システムから、第１データ・ページに対するリクエストを送信する手段と、
前記第１通信リンクを通して、前記第１データ・ページに対応するコンテンツ縮小データ・ページを受信する手段と、
前記第１通信リンクより安価な第２通信リンクに接続された第２データ処理システムに送信される前記第１データ・ページを選択的に要求する手段と、
を含む、データ処理システム。
（２７）コンピュータ読取り可能媒体上にコンピュータ読取り可能コードを有するコンピュータ・プログラム製品であって、
第１通信リンクを通して、第１データ処理システムから、第１データ・ページに対するリクエストを送信する命令と、
前記第１通信リンクを通して、前記第１データ・ページに対応するコンテンツ縮小データ・ページを受信する命令と、
前記第１通信リンクより安価な第２通信リンクに接続された第２データ処理システムに送信される前記第１データ・ページを選択的に要求する命令と、
を含む、プログラム製品。
【図面の簡単な説明】
【図１】本発明の好適実施例に従ったデータ処理システムを示す図である。
【図２】本発明の好適実施例に従ったモバイル・コンピューティング装置を示す図である。
【図３】本発明の好適実施例に従い、インターネットに接続された有線接続と無線装置を示すブロック図である。
【図４】本発明の好適実施例に従ったプロセスのフローチャートである。
【図５】本発明の好適実施例に従い、全コンテンツ表示の例を示す図である。
【図６】本発明の好適実施例に従い、コンテンツ縮小表示の例を示す図である。
【符号の説明】
１００、２０５、２１０  データ処理システム
１０２、１５２  プロセッサ
１０４  Ｌ２キャッシュ
１０８  システム・メモリ
１１０  Ｉ／Ｏバス・ブリッジ
１１４、１５６  不揮発性ストレージ
１１６  キーボード／ポインティング・デバイス
１１８  グラフィックス・アダプタ
１２０、１５０  ディスプレイ
１３０  インターネット接続
１５４  メモリ
１５８  通信ブロック
１６０  ユーザ入力装置
２００  インターネット
２１５  有線接続
２２５  ＰＤＡ
２３０  携帯型データ処理システム
２３５  無線接続
２６０  プロキシ・サーバ
４５０  ハンドヘルドＰＤＡシステム
【図１】
0004250349.tif 000002
【図２】
0004250349.tif 000003
【図３】
0004250349.tif 000004
【図４】
0004250349.tif 000005
【図５】
0004250349.tif 000006
【図６】
0004250349.tif 000007